(57)【要約】【課題】車両停止時における周辺機器の使用に伴う補機バッテリの蓄電量の低下を効率的に抑えることのできる車両の電源システムを提供する。【解決手段】このシステムは、ハザードランプの作動の有無の検出結果を取り込む電子制御装置１８や、電子制御装置１８の電源端子（Ｖｓ）およびＤＣ／ＤＣコンバータ２１の電源端子（Ｖｓ）と補機バッテリ２０との間に設けられたＩＧリレー２４を備える。電子制御装置１８は、運転スイッチ２２のオフ操作時において、ＩＧリレー２４のオン操作を一時的に継続した後に同ＩＧリレー２４をオフ操作して電子制御装置１８およびＤＣ／ＤＣコンバータ２１を停止させる。また電子制御装置１８は、このときにおけるＩＧリレー２４のオン操作の継続時間を、ハザードランプの作動の有無の検出結果に応じて制御する。【選択図】図１
2018085893.tif 000002
【特許請求の範囲】
【請求項１】
車両の運転および運転停止を切り替える運転スイッチと、
車両駆動源としての駆動モータに電力を供給する駆動バッテリと、
前記運転スイッチのオフ操作時に周辺機器に電力を供給する補機バッテリと、
前記駆動バッテリから前記補機バッテリおよび前記周辺機器を含む電気回路に電圧変換した電力を供給する電圧変換装置と、
前記周辺機器の作動の有無を検出する検出部と、
前記検出部による検出結果を取り込む制御装置と、
前記制御装置の電源端子および前記電圧変換装置の電源端子と前記補機バッテリとの間に設けられる継電器と、を備え、
前記制御装置は、前記運転スイッチのオン操作時には前記継電器をオン操作して前記制御装置および前記電圧変換装置を作動させる一方で、前記運転スイッチのオフ操作時には、前記継電器のオン操作を一時的に継続した後に同継電器をオフ操作して前記制御装置および前記電圧変換装置を停止させるとともに、前記継電器のオン操作の継続時間を前記検出部による検出結果に応じて制御する、車両の電源システム。
【請求項２】
請求項１に記載の車両の電源システムにおいて、
前記制御装置は、前記駆動モータの作動を制御するものである
ことを特徴とする車両の電源システム。
【請求項３】
請求項１または２に記載の車両の電源システムにおいて、
前記制御装置は、前記運転スイッチのオフ操作直後の所定期間にわたって前記継電器のオン操作を継続し、前記所定期間において前記周辺機器の作動が検出されるとともに前記所定期間の経過後においても前記作動が検出され続けているときには前記継電器のオン操作をさらに継続し、その後に前記周辺機器の作動停止が検出されると、その検出に基づき前記継電器をオフ操作する
ことを特徴とする車両の電源システム。
【請求項４】
請求項３に記載の車両の電源システムにおいて、
前記所定期間は、予め定められた一定時間である
ことを特徴とする車両の電源システム。
【請求項５】
請求項３または４に記載の車両の電源システムにおいて、
前記制御装置は、前記所定期間の経過後に前記継電器のオン操作を継続しているときに前記駆動バッテリの電圧が判定値以下になったときには、前記継電器をオフ操作する
ことを特徴とする車両の電源システム。
【請求項６】
請求項３〜５のいずれか１項に記載の車両の電源システムにおいて、
前記周辺機器は、ハザードランプである
ことを特徴とする車両の電源システム。
【発明の詳細な説明】
【技術分野】
【０００１】
本発明は、駆動モータを有する車両の各部に電力を供給する車両の電源システムに関するものである。
【背景技術】
【０００２】
電気自動車やハイブリッド自動車など、車両駆動源としての駆動モータを有する車両には、主に駆動モータに電力を供給する高電圧大容量の駆動バッテリと、灯火類などの周辺機器に接続された低電圧小容量の補機バッテリとが設けられている。また、こうした車両には、駆動バッテリから補機バッテリ（詳しくは、補機バッテリを含む電気回路）に電圧変換した電力を供給する電圧変換装置（例えばＤＣ／ＤＣコンバータ）が設けられている。そして、車両運転時には電圧変換装置が作動して駆動バッテリから補機バッテリに電力が供給される一方、車両運転を停止させるべく運転スイッチがオフ操作されると電圧変換装置が作動停止して電力供給が遮断される。
【０００３】
ここで、運転スイッチがオフ操作されて車両運転が停止された状況下で、周辺機器（例えばハザードランプや室内灯）が使用されることがある。この場合には、周辺機器に対して、駆動バッテリから電力は供給されず、補機バッテリから電力が供給される。そのため、周辺機器の作動時間が長くなると、補機バッテリの放電量が多くなって補機バッテリの早期劣化を招くおそれがあるばかりか、補機バッテリが使用不能状態（いわゆるバッテリ上がり）になるおそれもある。
【０００４】
特許文献１には、運転スイッチがオフ操作されて車両運転が停止されている期間において、定期的に電圧変換装置を起動させて駆動バッテリから補機バッテリへの電力供給を行うシステムが提案されている。こうしたシステムによれば、車両停止中に周辺機器が作動して補機バッテリの蓄電量が減少した場合であっても、駆動バッテリからの電力供給によって補機バッテリが充電されるため、補機バッテリの早期劣化が抑えられる。
【先行技術文献】
【特許文献】
【０００５】
【特許文献１】特開２０１４−１５５２９９号公報
【発明の概要】
【発明が解決しようとする課題】
【０００６】
特許文献１の電源システムでは、車両運転が停止されている期間において、運転停止の継続時間を常時監視するための機器が必要になるうえに、同機器を常時作動させておくための電力も必要になる。そのため、補機バッテリの蓄電量の低下を効率良く抑える上で、更なる改善の余地がある。
【０００７】
本発明は、そうした実情に鑑みてなされたものであり、その目的は、車両停止時における周辺機器の使用に伴う補機バッテリの蓄電量の低下を効率的に抑えることのできる車両の電源システムを提供することにある。
【課題を解決するための手段】
【０００８】
上記課題を解決するための車両の電源システムは、車両の運転および運転停止を切り替える運転スイッチと、車両駆動源としての駆動モータに電力を供給する駆動バッテリと、前記運転スイッチのオフ操作時に周辺機器に電力を供給する補機バッテリと、前記駆動バッテリから前記補機バッテリおよび前記周辺機器を含む電気回路に電圧変換した電力を供給する電圧変換装置と、前記周辺機器の作動の有無を検出する検出部と、前記検出部による検出結果を取り込む制御装置と、前記制御装置の電源端子および前記電圧変換装置の電源端子と前記補機バッテリとの間に設けられる継電器と、を備える。そして、前記制御装置は、前記運転スイッチのオン操作時には前記継電器をオン操作して前記制御装置および前記電圧変換装置を作動させる一方で、前記運転スイッチのオフ操作時には、前記継電器のオン操作を一時的に継続した後に同継電器をオフ操作して前記制御装置および前記電圧変換装置を停止させるとともに、前記継電器のオン操作の継続時間を前記検出部による検出結果に応じて制御する。
【０００９】
運転スイッチのオフ操作後において周辺機器（例えば、ハザードランプや室内灯など）が作動する場合、周辺機器を作動させるための操作は、通常は運転スイッチのオフ操作の前後に行われる。
【００１０】
上記システムでは、運転スイッチがオフ操作された直後の上記周辺機器を作動させるための操作がなされる（あるいは、既になされている）可能性がある期間において、一時的に継電器のオン操作が継続される。これにより、制御装置および電圧変換装置の作動を継続することができるため、補機バッテリの蓄電量の低下を招くことなく、制御装置によって継電器をオン操作状態で保持する機能と、電圧変換装置によって駆動バッテリから周辺機器を含む電気回路に電力を供給する機能とを維持することができる。
【００１１】
そして、運転スイッチのオフ操作直後において周辺機器が作動する場合には、その作動期間に合わせて継電器をオン操作状態で保持して、駆動バッテリから電気回路への電力供給を継続させることができる。したがって、この場合には周辺機器の作動のために電力が消費されるとはいえ、その電力を駆動バッテリからの供給電力によって賄うことができるため、補機バッテリの蓄電量の低下を抑えることができる。
【００１２】
しかも、運転スイッチのオフ操作後において周辺機器の非作動が継続している場合や周辺機器の作動停止が検出された場合など、周辺機器が作動する可能性が低い場合には、制御装置によって継電器をオフ操作することにより、同制御装置および電圧変換装置の作動を停止させることができる。これにより、周辺機器が作動する可能性が低くなったタイミングで、電源システム全体（詳しくは、制御装置および電圧変換装置）の作動を停止させることができるため、電源システムの不要な電力消費を抑えることができる。
【００１３】
このように上記システムによれば、車両停止時における周辺機器の使用に伴う補機バッテリの蓄電量の低下を効率的に抑えることができる。
上記電源システムにおいて、前記制御装置は、前記駆動モータの作動を制御するものであることが好ましい。
【００１４】
車両駆動源として駆動モータが搭載された車両には、駆動モータの作動を制御する制御装置が搭載されている。上記システムによれば、そうした制御装置を利用して前記検出部による検出結果の監視と継電器の作動制御とを実行することができるため、ハードウェアの構造の複雑化を抑えることができる。
【００１５】
上記電源システムにおいて、前記制御装置は、前記運転スイッチのオフ操作直後の所定期間にわたって前記継電器のオン操作を継続し、前記所定期間において前記周辺機器の作動が検出されるとともに前記所定期間の経過後においても前記作動が検出され続けているときには前記継電器のオン操作をさらに継続し、その後に前記周辺機器の作動停止が検出されると、その検出に基づき前記継電器をオフ操作する。
【００１６】
上記システムによれば、運転スイッチのオフ操作直後において周辺機器を作動させるための操作がなされる可能性がある所定期間では、継電器のオン操作が継続される。そのため、同期間において制御装置によって継電器をオン操作状態で保持する機能と、電圧変換装置によって駆動バッテリから電気回路に電力を供給する機能とを維持することができる。
【００１７】
そして、所定期間において周辺機器の作動が検出されないときには、周辺機器が作動する可能性が低いとして、継電器をオフ操作して電源システム全体の作動を停止させることができる。また、所定期間において周辺機器の作動が検出されると、その状態が所定期間の経過後においても続く場合には、継電器のオン操作がさらに継続される。このとき周辺機器によって電力が消費されるとはいえ、その消費電力を駆動バッテリからの供給電力によって賄うことができる。さらに、その後において周辺機器の作動が停止されると、補機バッテリの蓄電量の低下に対する懸念が解消されたとして、継電器をオフ操作して電源システム全体の作動を停止させることができる。
【００１８】
上記電源システムにおいて、前記所定期間は、予め定められた一定時間である。
上記システムによれば、運転スイッチのオフ操作直後の所定期間にわたって継電器のオン操作を継続する構成を、マイクロコンピュータのタイマ機能やディレイリレーなどを用いて容易に実現することができる。
【００１９】
上記電源システムにおいて、前記制御装置は、前記所定期間の経過後に前記継電器のオン操作を継続しているときに前記駆動バッテリの電圧が判定値以下になったときには、前記継電器をオフ操作することが好ましい。
【００２０】
上記システムによれば、運転スイッチのオフ操作後に駆動バッテリから周辺機器を含む電気回路に給電される状態が長期にわたって続いてしまう場合に、継電器をオフ操作して駆動バッテリから電気回路への給電を遮断することにより、駆動バッテリの早期劣化やバッテリ上がりを回避することができる。
【００２１】
上記電源システムにおいて、前記周辺機器は、ハザードランプである。
運転スイッチがオフ操作された状態でハザードランプが点滅した状況になる場合には、通常、ハザードランプを点滅させるためのハザードスイッチの操作が運転スイッチのオフ操作の前後に行われる。上記システムによれば、運転スイッチのオフ操作後においてハザードランプが使用される場合に、補機バッテリの蓄電量の低下を効率的に抑えることができる。
【発明の効果】
【００２２】
本発明によれば、車両停止時における周辺機器の使用に伴う補機バッテリの蓄電量の低下を効率的に抑えることができる。
【図面の簡単な説明】
【００２３】
【図１】車両の電源システムの一実施形態の概略構成を示すブロック図。
【図２】作動制御処理の実行手順を示すフローチャート。
【図３】ハザードランプが作動しない場合における電源システムの作動態様の一例を示すタイミングチャート。
【図４】ハザードランプが作動する場合における電源システムの作動態様の一例を示すタイミングチャート。
【図５】変形例の作動制御処理の実行手順を示すフローチャート。
【発明を実施するための形態】
【００２４】
以下、車両の電源システムの一実施形態について説明する。
図１に示すように、車両１０は、駆動源としての駆動モータ１１と同駆動モータ１１を駆動するためのインバータ１２とが搭載された電気自動車である。駆動モータ１１は、三相交流式の回転機であり、車軸を介して駆動輪（図示略）に連結されている。インバータ１２は、入力される直流電力を駆動モータ１１の駆動に適した交流電力に変換したうえで同駆動モータ１１に出力する。
【００２５】
車両１０の右前部、左前部、右後部、および左後部には、それぞれウインカーランプ１３が取り付けられている。また車室内にはハザードスイッチ１４が設けられている。各ウインカーランプ１３とハザードスイッチ１４とはフラッシャー１５を介して接続されている。そして、ハザードスイッチ１４がオン操作されると、フラッシャー１５の入力端子１５Ａに電源電圧が入力されて、同フラッシャー１５の出力端子１５Ｂから所定周期で間欠的に電力が出力される。このようにしてフラッシャー１５から出力される電力が各ウインカーランプ１３に供給されることにより、それらウインカーランプ１３は点滅する。このようにハザードスイッチ１４のオン操作時には、各ウインカーランプ１３はハザードランプとして機能する。
【００２６】
車室内には、室内灯１６と、その室内灯１６の点灯および消灯を切り替えるための室内灯スイッチ１７とが設けられている。
車両１０には、電子制御装置１８が設けられている。この電子制御装置１８は、中央処理装置およびメモリを有するマイクロコンピュータを備えている。そして、電子制御装置１８は、各種のセンサやスイッチの出力信号を取り込むとともにそれら信号に基づき各種の演算を行い、その演算結果に基づいてインバータ１２の作動制御などといった車両１０の運転にかかる各種制御を実行する。
【００２７】
電子制御装置１８には、フラッシャー１５の入力端子１５Ａの電圧（ハザード信号）が入力されている。このハザード信号は、ハザードランプの作動時にはオン状態（補機バッテリの電圧［略１２ボルト］）になり、ハザードランプの非作動時にはオフ状態（略０ボルト）になる。電子制御装置１８は、こうしたハザード信号の変化をもとに、ハザードランプの作動の有無を検出している。本実施形態では、電子制御装置１８が検出部に相当する。
【００２８】
車両１０には、駆動バッテリ１９と補機バッテリ２０とを有する電源システムが搭載されている。駆動バッテリ１９は、電圧（本実施形態では、７２ボルト）が高い大容量のものであり、主に駆動モータ１１（詳しくは、インバータ１２）に電力を供給する。補機バッテリ２０は、電圧（本実施形態では、１２ボルト）が比較的低い小容量のものであり、ウインカーランプ１３や室内灯１６などの周辺機器に接続されている。
【００２９】
駆動バッテリ１９と補機バッテリ２０との間には、電圧変換装置としてのＤＣ／ＤＣコンバータ２１が設けられている。ＤＣ／ＤＣコンバータ２１は、駆動バッテリ１９から補機バッテリ２０（詳しくは、補機バッテリ２０、各ウインカーランプ１３、および室内灯１６を含む電気回路）に電圧変換（本実施形態では、７２ボルト→１２ボルト）した電力を供給する。
【００３０】
車室内には車両１０の運転および運転停止を切り替えるための運転スイッチ２２が設けられている。この運転スイッチ２２の接点部の一方は補機バッテリ２０の正極端子に接続されており、他方は電子制御装置１８の電源端子（ＩＧ）とインバータ１２の電源端子（ＩＧ）とに接続されている。そして、運転スイッチ２２がオン操作されると、補機バッテリ２０からの電力供給が開始されて、インバータ１２および電子制御装置１８が起動される。
【００３１】
車両１０には、駆動バッテリ１９から車両１０各部への電力供給および供給停止を切り替えるためのメイン電源リレー２３が設けられている。このメイン電源リレー２３の接点部の一方は駆動バッテリ１９に接続されており、他方はインバータ１２の入力端子（Ｖｉ）とＤＣ／ＤＣコンバータ２１の入力端子（Ｖｉ）とに接続されている。メイン電源リレー２３は電子制御装置１８によって作動制御される。そして、メイン電源リレー２３がオン操作されると、駆動バッテリ１９から、インバータ１２の入力端子（Ｖｉ）とＤＣ／ＤＣコンバータ２１の入力端子（Ｖｉ）とに電力が供給されるようになる。
【００３２】
また、電子制御装置１８の電源端子（Ｖｓ）やＤＣ／ＤＣコンバータ２１の電源端子（Ｖｓ）は、継電器としてのＩＧリレー２４を介して補機バッテリ２０の正極に接続されている。このＩＧリレー２４は電子制御装置１８によって作動制御される。そして、ＩＧリレー２４がオン操作されると、補機バッテリ２０から電子制御装置１８の電源端子（Ｖｓ）とＤＣ／ＤＣコンバータ２１の電源端子（Ｖｓ）とに作動のための電力が供給される。
【００３３】
本実施形態の電源システムでは、運転スイッチ２２がオン操作されると、インバータ１２の電源端子（ＩＧ）と電子制御装置１８の電源端子（ＩＧ）とに補機バッテリ２０から電力が供給されて、それらインバータ１２および電子制御装置１８が起動される。また、こうして起動された電子制御装置１８によってメイン電源リレー２３およびＩＧリレー２４がオン操作される。これにより、インバータ１２が起動されて駆動モータ１１が駆動可能な状態になるとともに、ＤＣ／ＤＣコンバータ２１が起動されて駆動バッテリ１９から補機バッテリ２０や周辺機器への電力供給が開始される。
【００３４】
また本実施形態では、運転スイッチ２２のオフ操作時には、基本的に、電子制御装置１８によってメイン電源リレー２３およびＩＧリレー２４がオフ操作される。これにより、インバータ１２およびＤＣ／ＤＣコンバータ２１の作動が停止することに加えて、電子制御装置１８自身の作動も停止して、電源システム全体の作動が停止する。このように、電子制御装置１８は、電源システムの作動を停止させる際に電子制御装置１８自身の作動をも停止させる機能（いわゆる自殺回路機能）を有している。
【００３５】
ただし、本実施形態の電源システムでは、運転スイッチ２２のオフ操作直後において、ＩＧリレー２４を直ちにオフ操作するのではなく、ＩＧリレー２４のオン操作を一時的に継続するようにしている。
【００３６】
以下、運転スイッチ２２のオフ操作後においてＩＧリレー２４の作動を制御する処理（作動制御処理）について、図２を参照しつつ説明する。なお図２は作動制御処理の実行手順を示しており、同図のフローチャートに示される一連の処理は、所定周期毎の処理として、電子制御装置１８により実行される。
【００３７】
図２に示すように、この処理では先ず、運転スイッチ２２がオフ操作されているか否かが判断される（ステップＳ１１）。そして、運転スイッチ２２がオン操作されている場合には（ステップＳ１１：ＮＯ）、ＩＧリレー２４がオン操作される（ステップＳ１２）。
【００３８】
その後に本処理が繰り返し実行されて、運転スイッチ２２がオフ操作されると（ステップＳ１１：ＹＥＳ）、ハザードランプの作動停止（消灯）が検出されているか否かが判断される（ステップＳ１３）。ステップＳ１３の処理では、ハザード信号がほぼ「０ボルト」であるときにはハザードランプの消灯が検出される一方、ハザード信号が補機バッテリ２０の電圧とほぼ等しいときにはハザードランプの作動（点滅）が検出される。
【００３９】
そして、ハザードランプの点滅が検出されている場合には（ステップＳ１３：ＮＯ）、ＩＧリレー２４の作動が継続される（ステップＳ１２）。したがって、このとき運転スイッチ２２がオフ操作された状況でハザードランプが点滅しているとはいえ、駆動バッテリ１９からＤＣ／ＤＣコンバータ２１を介して各ウインカーランプ１３に電力が供給されるため、補機バッテリ２０の蓄電量の低下が抑えられる。
【００４０】
一方、ハザードランプの消灯が検出されている場合には（ステップＳ１３：ＹＥＳ）、運転スイッチ２２がオフ操作されてから一定時間（本実施形態では１分）以上経過したか否かが判断される（ステップＳ１４）。
【００４１】
ここで、運転スイッチ２２のオフ操作後においてハザードランプが点滅する場合には、ハザードスイッチ１４のオン操作は、通常は運転スイッチ２２のオフ操作の前後に行われる。そこで本実施形態では、運転スイッチ２２のオフ操作直後においてハザードスイッチ１４がオン操作される可能性のある一定時間であって、且つ運転スイッチ２２のオフ操作後にＤＣ／ＤＣコンバータ２１の作動を継続させた場合であっても放電による駆動バッテリ１９の早期劣化を抑えることの可能な一定時間が予め求められている。この一定時間は電子制御装置１８に記憶されており、ステップＳ１４の処理において参照される。
【００４２】
運転スイッチ２２のオフ操作後の経過時間が一定時間未満である場合には（ステップＳ１４：ＮＯ）、ＩＧリレー２４のオン操作が継続される（ステップＳ１２）。この場合には、運転スイッチ２２がオフ操作されているが、ハザードスイッチ１４がオン操作されてハザードランプが点滅する場合に備えて、電子制御装置１８およびＤＣ／ＤＣコンバータ２１の作動状態が維持される。
【００４３】
そして、本処理が繰り返し実行されて、ハザードスイッチ１４がオフ操作された状態で（ステップＳ１３：ＹＥＳ）、運転スイッチ２２のオフ操作後の経過時間が一定時間以上になると（ステップＳ１４：ＹＥＳ）、ＩＧリレー２４がオフ操作される（ステップＳ１５）。この場合には、ハザードスイッチ１４がオン操作される可能性が低くなったとして、電子制御装置１８によってＩＧリレー２４がオフ操作されるとともに、電子制御装置１８自身の作動が停止される。
【００４４】
以下、本実施形態の電源システムの作動態様を、その作動による作用効果とともに説明する。
図３は、運転スイッチ２２のオフ操作後の一定時間においてハザードスイッチ１４がオン操作されない場合における電源システムの作動態様を示している。
【００４５】
図３に示す例では、時刻ｔ１１において運転スイッチ２２（同図（ａ））がオフ操作される。このとき、同図（ｂ）に示すようにインバータ１２の電源端子（ＩＧ）への補機バッテリ２０からの電力供給が停止されて同インバータ１２の作動が停止されるとともに、同図（ｃ）に示すように電子制御装置１８の電源端子（ＩＧ）への補機バッテリ２０からの電力供給が停止される。
【００４６】
また、このときにはＩＧリレー２４（同図（ｄ））を直ちにオフ操作することなく、同ＩＧリレー２４のオン操作が継続される。これにより、このときハザードスイッチ１４（同図（ｅ））がオフ操作されているが、その後の一定時間（時刻ｔ１１〜ｔ１２）は、電子制御装置１８（同図（ｆ））の作動とＤＣ／ＤＣコンバータ２１（同図（ｇ））の作動とが継続される。
【００４７】
さらに、メイン電源リレー２３（同図（ｈ））を直ちにオフ操作することなく、同メイン電源リレー２３のオン操作が継続される。これにより、このとき運転スイッチ２２がオフ操作されているが、その後の一定時間（時刻ｔ１１〜ｔ１２）は、同図（ｉ）に示すように駆動バッテリ１９からＤＣ／ＤＣコンバータ２１の入力端子（Ｖｉ）に電力が供給されて、同図（ｊ）に示すように、ＤＣ／ＤＣコンバータ２１の出力端子（Ｖｏ）からの電力供給がなされる。
【００４８】
そして、本例ではハザードスイッチ１４がオン操作されないまま一定時間が経過するため、一定時間が経過した時刻ｔ１２において、ＩＧリレー２４およびメイン電源リレー２３がオフ操作される。これにより、電源システムの全体（詳しくは、電子制御装置１８およびＤＣ／ＤＣコンバータ２１）の作動が停止される。
【００４９】
このように本実施形態によれば、運転スイッチ２２がオフ操作された場合に、その後の一定時間、すなわちハザードスイッチ１４がオン操作される可能性がある期間においては、ＩＧリレー２４のオン操作状態が継続されるため、電子制御装置１８およびＤＣ／ＤＣコンバータ２１の作動を継続することができる。そのため、補機バッテリ２０の蓄電量の低下を招くことなく、電子制御装置１８によってＩＧリレー２４をオン操作状態で保持する機能と、ＤＣ／ＤＣコンバータ２１によって駆動バッテリ１９からウインカーランプ１３を含む電気回路に電力を供給する機能とを維持することができる。
【００５０】
そして、運転スイッチ２２のオフ操作後において一定時間にわたってハザードランプの非作動が継続した場合には、ハザードランプが作動する可能性が低いとして、電子制御装置１８によってＩＧリレー２４をオフ操作して、同電子制御装置１８およびＤＣ／ＤＣコンバータ２１の作動を停止させることができる。これにより、ハザードランプが作動する可能性が低くなったタイミングで、電源システム全体の作動を停止させることができるため、電源システムの不要な電力消費を抑えることができる。
【００５１】
図４は、運転スイッチ２２のオフ操作後において、一定時間が経過する前に、ハザードスイッチ１４がオン操作される場合における電源システムの作動態様を示している。
図４に示す例では、時刻ｔ２１において運転スイッチ２２がオフ操作される。このとき、同図（ｂ）に示すようにインバータ１２の電源端子（ＩＧ）への補機バッテリ２０からの電力供給が停止されて同インバータ１２の作動が停止されるとともに、同図（ｃ）に示すように電子制御装置１８の電源端子（ＩＧ）への補機バッテリ２０からの電力供給が停止される。
【００５２】
また、このときにはＩＧリレー２４（同図（ｄ））を直ちにオフ操作することなく、同ＩＧリレー２４のオン操作が継続される。これにより、このときハザードスイッチ１４（同図（ｅ））がオフ操作されているが、その後の一定時間（時刻ｔ２１〜ｔ２３）は、電子制御装置１８（同図（ｆ））の作動とＤＣ／ＤＣコンバータ２１（同図（ｇ））の作動とが継続される。
【００５３】
さらに、メイン電源リレー２３（同図（ｈ））を直ちにオフ操作することなく、同メイン電源リレー２３のオン操作が継続される。これにより、このとき運転スイッチ２２がオフ操作されているが、その後の一定時間（時刻ｔ２１〜ｔ２３）は、同図（ｉ）に示すように駆動バッテリ１９からＤＣ／ＤＣコンバータ２１の入力端子（Ｖｉ）に電力が供給されて、同図（ｊ）に示すように、ＤＣ／ＤＣコンバータ２１の出力端子（Ｖｏ）からの電力供給がなされる。
【００５４】
そして本例では、一定時間内の時刻ｔ２２においてハザードスイッチ１４がオン操作されてハザード信号がオン状態になり、さらには一定時間が経過した後においてもハザードスイッチ１４のオン操作状態とハザード信号のオン状態とが継続される。そして、このときＩＧリレー２４のオン操作が継続されて、電子制御装置１８およびＤＣ／ＤＣコンバータ２１の作動が継続される。そのため、運転スイッチ２２のオフ操作後にハザードランプの点滅によって電力が消費されるとはいえ、その電力を駆動バッテリ１９からの供給電力によって賄うことができるため、補機バッテリ２０の蓄電量の低下を抑えることができる。
【００５５】
そして、時刻ｔ２４において、ハザードスイッチ１４がオフ操作されてハザード信号がオフ状態になると、ＩＧリレー２４がオフ操作されて、電子制御装置１８およびＤＣ／ＤＣコンバータ２１の作動が停止される。これにより、ハザードランプが消灯して補機バッテリ２０の蓄電量の低下に対する懸念が解消されたタイミングで、駆動バッテリ１９から前記電気回路への電力供給を遮断するとともに、電源システム全体の作動を停止させることができるため、電源システムの不要な電力消費を抑えることができる。
【００５６】
図４中の二点鎖線は、運転スイッチ２２のオフ操作時においてハザードスイッチ１４が既にオン操作されている場合における電源システムの作動態様を示している。
この例では、時刻ｔ２１において運転スイッチ２２がオフ操作されたときに既にハザードスイッチ１４がオン操作されてハザード信号がオン状態になっており、一定時間が経過した後（時刻ｔ２３〜ｔ２４）もハザード信号のオン状態が継続されている。そのため、ハザード信号がオン状態になっている間は（時刻ｔ２１〜ｔ２４）、メイン電源リレー２３およびＩＧリレー２４のオン操作が継続されて、電子制御装置１８およびＤＣ／ＤＣコンバータ２１の作動が継続される。
【００５７】
そして、時刻ｔ２４において、ハザードスイッチ１４がオフ操作されてハザード信号がオフ状態になると、メイン電源リレー２３およびＩＧリレー２４がオフ操作されて、電源システム全体の作動が停止される。
【００５８】
このように本実施形態では、運転スイッチ２２のオフ操作時に既にハザードランプが作動している場合には、一定時間の経過後においてもハザードランプが作動していると、電子制御装置１８およびＤＣ／ＤＣコンバータ２１の作動が継続されて、駆動バッテリ１９から電気回路への電力供給が継続される。そのため、この場合にも、運転スイッチ２２のオフ操作後にハザードランプの点滅によって消費される電力を駆動バッテリ１９からの供給電力によって賄うことができ、補機バッテリ２０の蓄電量の低下を抑えることができる。
【００５９】
本実施形態の電源システムによれば、このようにして車両１０の停止時におけるハザードランプの使用に伴う補機バッテリ２０の蓄電量の低下を効率的に抑えることができる。
しかも、駆動モータ１１の作動制御を実行する電子制御装置１８を利用して、補機バッテリ２０の蓄電量の低下を抑えるための一連の制御（ＩＧリレー２４の作動制御、ハザードランプの作動の有無の検出制御）を実行することができる。そのため、専用の制御装置が設けられる場合と比較して、電源システムのハードウェアの構造が複雑になることを抑えることができる。
【００６０】
以上説明したように、本実施形態によれば、以下に記載する効果が得られる。
（１）車両１０の停止時におけるハザードランプの使用に伴う補機バッテリ２０の蓄電量の低下を効率的に抑えることができる。
【００６１】
（２）駆動モータ１１の作動制御を実行する電子制御装置１８を利用して、補機バッテリ２０の蓄電量の低下を抑えるための一連の制御を実行することができるため、電源システムのハードウェアの構造が複雑になることを抑えることができる。
【００６２】
（３）運転スイッチ２２のオフ操作直後においてハザードスイッチ１４の操作がなされる（あるいは、既になされている）可能性がある所定期間では、ＩＧリレー２４のオン操作が継続される。そのため、同期間において電子制御装置１８によってＩＧリレー２４をオン操作状態で保持する機能と、ＤＣ／ＤＣコンバータ２１によって駆動バッテリ１９からウインカーランプ１３に電力を供給する機能とを維持することができる。
【００６３】
そして、所定期間においてハザードランプの作動が検出されないときには、同ハザードランプが作動する可能性が低いとして、ＩＧリレー２４をオフ操作して、電源システム全体の作動を停止させることができる。
【００６４】
また、所定期間においてハザードランプの作動が検出されると、その状態が所定期間の経過後においても続く場合には、ＩＧリレー２４のオン操作がさらに継続される。このときハザードランプによって電力が消費されるとはいえ、その消費電力を駆動バッテリ１９からの供給電力によって賄うことができる。
【００６５】
さらに、その後においてハザードランプの作動が停止されると、補機バッテリ２０の蓄電量の低下に対する懸念が解消されたとして、ＩＧリレー２４をオフ操作して、電源システム全体の作動を停止させることができる。
【００６６】
（４）運転スイッチ２２のオフ操作後にＩＧリレー２４のオン操作を継続する所定期間として、一定時間を採用した。そのため、運転スイッチ２２のオフ操作後の所定期間にわたって電子制御装置１８およびＤＣ／ＤＣコンバータ２１の作動を継続する構成を、電子制御装置１８（詳しくは、マイクロコンピュータ）のタイマ機能を利用して容易に実現することができる。
【００６７】
＜変形例＞
なお、上記実施形態は、以下のように変更して実施してもよい。
・運転スイッチ２２がオフ操作されてから一定時間が経過した後においてもＩＧリレー２４のオン操作が継続されている状況で、駆動バッテリ１９の電圧が判定値以下になったときには、ＩＧリレー２４をオフ操作するようにしてもよい。また、駆動バッテリ１９の充電率を監視している電源システムであれば、上記状況で駆動バッテリ１９の充電率が判定値以下になったときに、ＩＧリレー２４をオフ操作するようにしてもよい。この場合には、判定値として、駆動バッテリ１９の劣化を招かない電圧の範囲（または充電率の範囲）の下限値よりも高い電圧（または充電率）を定めればよい。
【００６８】
こうした電源システムによれば、運転スイッチ２２のオフ操作後に駆動バッテリ１９から各ウインカーランプ１３に給電される状態が長期にわたって続いてしまう場合に、駆動バッテリ１９から電気回路への給電を遮断することにより、駆動バッテリ１９の早期劣化やバッテリ上がりを回避することができる。この場合には、補機バッテリ２０からウインカーランプ１３に給電される状態になるために補機バッテリ２０の早期劣化やバッテリ上がりを招くおそれがあるものの、補機バッテリ２０と比較して高価な駆動バッテリ１９の劣化を抑えることができるため、車両１０の修理にかかる費用を抑えることができる。
【００６９】
以下、こうした構成を実現するための作動制御処理の実行手順の一例を、図５を参照しつつ説明する。この処理では、運転スイッチ２２のオフ操作後にハザードランプの点滅が検出されている場合には（図２のステップＳ１１：ＹＥＳ、且つステップＳ１３：ＮＯ）、図５に示すように駆動バッテリ１９の電圧が判定値以下であるか否かが判断される（ステップＳ２１）。そして、駆動バッテリ１９の電圧が判定値以下である場合には（ステップＳ２１：ＹＥＳ）、運転スイッチ２２のオフ操作後の経過時間が一定時間以上であれば（図２のステップＳ１４：ＹＥＳ）、ＩＧリレー２４がオフ操作される（ステップＳ１５）。一方、駆動バッテリ１９の電圧が判定値よりも高い場合には（図５のステップＳ２１：ＮＯ）、ＩＧリレー２４のオン操作が継続される（図２のステップＳ１２）。
【００７０】
・運転スイッチ２２のオフ操作後にＩＧリレー２４のオン操作を継続する所定期間として、運転スイッチ２２のオフ操作後の駆動バッテリ１９の消費電力量が所定量以上になるまでの期間を採用してもよい。この場合、所定量としては、次の（条件１）および（条件２）を満たす値を定めればよい。（条件１）運転スイッチ２２のオフ操作直後においてハザードスイッチ１４がオン操作される可能性のある期間であることを特定可能な駆動バッテリ１９の消費電力量であること。（条件２）運転スイッチ２２のオフ操作後にＩＧリレー２４のオン操作を継続した場合であっても放電による駆動バッテリ１９の早期劣化が抑えられる消費電力量であること。
【００７１】
・作動制御処理（図２）のステップＳ１５の処理において、ＩＧリレー２４をオフ操作するタイミングは、ハザードスイッチ１４がオフ操作されたタイミングに限らず、ハザードスイッチ１４がオフ操作されてから若干の時間が経過したタイミングでもよい。
【００７２】
・運転スイッチ２２のオフ操作後において作動の有無の検出対象とする周辺機器としては、ハザードランプに限らず、室内灯１６や車両１０のヘッドライトなどを採用することができる。要は、運転スイッチ２２のオフ操作時に補機バッテリ２０からの電力供給によって作動する機器であれば、上記周辺機器として採用することができる。
【００７３】
周辺機器として室内灯１６を採用する場合には、電源システムを次のように構成すればよい。運転スイッチ２２のオフ操作後の所定期間内において室内灯１６の点灯が検出されるとともに所定期間の経過後においても室内灯１６の点灯が検出され続けているときには、ＩＧリレー２４のオン操作を継続する。そして、その後に室内灯１６の消灯が検出されると、その検出に基づきＩＧリレー２４をオフ操作する。こうしたシステムによれば、車両１０の停止時における室内灯１６の使用に伴う補機バッテリ２０の蓄電量の低下を効率的に抑えることができる。
【００７４】
・上記実施形態の電源システムは、電気自動車に適用することに限らず、車両駆動源として電動モータおよび内燃機関が搭載されたハイブリッド自動車にも適用することができる。
【符号の説明】
【００７５】
１０…車両、１１…駆動モータ、１２…インバータ、１３…ウインカーランプ、１４…ハザードスイッチ、１５…フラッシャー、１５Ａ…入力端子、１５Ｂ…出力端子、１６…室内灯、１７…室内灯スイッチ、１８…電子制御装置、１９…駆動バッテリ、２０…補機バッテリ、２１…ＤＣ／ＤＣコンバータ、２２…運転スイッチ、２３…メイン電源リレー、２４…ＩＧリレー。
【図１】
2018085893.tif 000003
【図２】
2018085893.tif 000004
【図３】
2018085893.tif 000005
【図４】
2018085893.tif 000006
【図５】
2018085893.tif 000007